【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
第一の記憶部と、
前記第一の記憶部よりもアクセス速度の遅い第二の記憶部と、
印刷ジョブを受信する受信部と、
前記第一の記憶部または前記第二の記憶部を用い、前記受信部により受信した印刷ジョブに基づいて描画処理する描画処理部と、
を備え、
前記描画処理部は、前記第一の記憶部を用いた描画処理中に他の印刷ジョブを優先処理するとした割り込み印刷の指示があった場合に、該描画処理中の印刷ジョブに対しては描画処理に用いる記憶部を前記第一の記憶部から前記第二の記憶部に切り換えて該描画処理を継続するとともに、前記他の印刷ジョブに対しては前記第一の記憶部を用いた描画処理を開始することを特徴とする印刷装置。
【請求項２】
前記描画処理部は、前記他の印刷ジョブに対する描画処理が終了した場合に、描画処理に用いる記憶部が前記第一の記憶部から前記第二の記憶部に切り換えられた印刷ジョブに対して描画処理に用いる記憶部を前記第二の記憶部から前記第一の記憶部に戻すことを特徴とする請求項１に記載の印刷装置。
【請求項３】
前記描画処理部は、前記第一の記憶部を用いた描画処理中に前記受信部により新たな印刷ジョブが受信された場合に、該新たな印刷ジョブに対して前記割り込み印刷の指示がなければ該描画処理中の印刷ジョブに対しては前記第一の記憶部を用いた描画処理を継続するとともに前記新たな印刷ジョブに対しては前記第二の記憶部を用いた描画処理を開始することを特徴とする請求項１または２に記載の印刷装置。
【請求項４】
第一の記憶部と、
前記第一の記憶部よりもアクセス速度の遅い第二の記憶部と、
印刷ジョブを受信する受信部と、
前記第一の記憶部または前記第二の記憶部を用い、前記受信部により受信した印刷ジョブに基づいて描画処理する描画処理部と、
を備え、
前記描画処理部は、前記第一の記憶部を用いた描画処理中に前記受信部により優先順位の高い新たな印刷ジョブが受信された場合に、該描画処理中の印刷ジョブに対しては描画処理に用いる記憶部を前記第一の記憶部から前記第二の記憶部に切り換えて該描画処理を継続するとともに、前記新たな印刷ジョブに対しては前記第一の記憶部を用いた描画処理を開始することを特徴とする印刷装置。
【請求項５】
前記描画処理部は、前記新たな印刷ジョブに対する描画処理が終了した場合に、描画処理に用いる記憶部が前記第一の記憶部から前記第二の記憶部に切り換えられた印刷ジョブに対して描画処理に用いる記憶部を前記第二の記憶部から前記第一の記憶部に戻すことを特徴とする請求項４に記載の印刷装置。
【請求項６】
印刷ジョブを受信する受信ステップと、
第一の記憶部または前記第一の記憶部よりもアクセス速度の遅い第二の記憶部を用い、前記受信部により受信した印刷ジョブに基づいて描画処理する描画処理ステップと、
を有し、
前記描画処理ステップは、前記第一の記憶部を用いた描画処理中に他の印刷ジョブを優先処理するとした割り込み印刷の指示があった場合に、該描画処理中の印刷ジョブに対しては描画処理に用いる記憶部を前記第一の記憶部から前記第二の記憶部に切り換えて該描画処理を継続するとともに、前記他の印刷ジョブに対しては前記第一の記憶部を用いた描画処理を開始することを特徴とする印刷方法。
【請求項７】
印刷ジョブを受信する受信ステップと、
第一の記憶部または前記第一の記憶部よりもアクセス速度の遅い第二の記憶部を用い、前記受信部により受信した印刷ジョブに基づいて描画処理する描画処理ステップと、
を有し、
前記描画処理ステップは、前記第一の記憶部を用いた描画処理中に前記受信部により優先順位の高い新たな印刷ジョブが受信された場合に、該描画処理中の印刷ジョブに対しては描画処理に用いる記憶部を前記第一の記憶部から前記第二の記憶部に切り換えて該描画処理を継続するとともに、前記新たな印刷ジョブに対しては前記第一の記憶部を用いた描画処理を開始することを特徴とする印刷方法。
【手続補正２】
【補正対象書類名】明細書
【補正対象項目名】発明の名称
【補正方法】変更
【補正の内容】
【発明の名称】印刷装置及び印刷方法
【手続補正３】
【補正対象書類名】明細書
【補正対象項目名】０００１
【補正方法】変更
【補正の内容】
【０００１】
本発明は、印刷装置及び印刷方法に関する。 
【手続補正４】
【補正対象書類名】明細書
【補正対象項目名】０００６
【補正方法】変更
【補正の内容】
【０００６】
そこで、本発明は割込み指示や優先印刷指示がある場合でも、先の印刷ジョブを中断することなく、割込み指示や優先印刷指示があった印刷ジョブと先の印刷ジョブの印刷処理を並行して行うことが可能な印刷装置及び印刷方法を提供するものである。 
【手続補正５】
【補正対象書類名】明細書
【補正対象項目名】０００７
【補正方法】変更
【補正の内容】
【０００７】
上記課題を解決するために、本発明の印刷装置は、第一の記憶部と、前記第一の記憶部よりもアクセス速度の遅い第二の記憶部と、印刷ジョブを受信する受信部と、前記第一の記憶部または前記第二の記憶部を用い、前記受信部により受信した印刷ジョブに基づいて描画処理する描画処理部と、を備え、前記描画処理部は、前記第一の記憶部を用いた描画処理中に他の印刷ジョブを優先処理するとした割り込み印刷の指示があった場合に、該描画処理中の印刷ジョブに対しては描画処理に用いる記憶部を前記第一の記憶部から前記第二の記憶部に切り換えて該描画処理を継続するとともに、前記他の印刷ジョブに対しては前記第一の記憶部を用いた描画処理を開始することを特徴とする。
また、本発明の他の態様の印刷装置は、第一の記憶部と、前記第一の記憶部よりもアクセス速度の遅い第二の記憶部と、印刷ジョブを受信する受信部と、前記第一の記憶部または前記第二の記憶部を用い、前記受信部により受信した印刷ジョブに基づいて描画処理する描画処理部と、を備え、前記描画処理部は、前記第一の記憶部を用いた描画処理中に前記受信部により優先順位の高い新たな印刷ジョブが受信された場合に、該描画処理中の印刷ジョブに対しては描画処理に用いる記憶部を前記第一の記憶部から前記第二の記憶部に切り換えて該描画処理を継続するとともに、前記新たな印刷ジョブに対しては前記第一の記憶部を用いた描画処理を開始することを特徴とする。
また、本発明の印刷方法は、印刷ジョブを受信する受信ステップと、第一の記憶部または前記第一の記憶部よりもアクセス速度の遅い第二の記憶部を用い、前記受信部により受信した印刷ジョブに基づいて描画処理する描画処理ステップと、を有し、前記描画処理ステップは、前記第一の記憶部を用いた描画処理中に他の印刷ジョブを優先処理するとした割り込み印刷の指示があった場合に、該描画処理中の印刷ジョブに対しては描画処理に用いる記憶部を前記第一の記憶部から前記第二の記憶部に切り換えて該描画処理を継続するとともに、前記他の印刷ジョブに対しては前記第一の記憶部を用いた描画処理を開始することを特徴とする。
また、本発明の他の態様の印刷方法は、印刷ジョブを受信する受信ステップと、第一の記憶部または前記第一の記憶部よりもアクセス速度の遅い第二の記憶部を用い、前記受信部により受信した印刷ジョブに基づいて描画処理する描画処理ステップと、を有し、前記描画処理ステップは、前記第一の記憶部を用いた描画処理中に前記受信部により優先順位の高い新たな印刷ジョブが受信された場合に、該描画処理中の印刷ジョブに対しては描画処理に用いる記憶部を前記第一の記憶部から前記第二の記憶部に切り換えて該描画処理を継続するとともに、前記新たな印刷ジョブに対しては前記第一の記憶部を用いた描画処理を開始することを特徴とする。